【手続補正書】
【提出日】平成16年12月22日(2004.12.22)
【手続補正１】
【補正対象書類名】明細書
【補正対象項目名】発明の名称
【補正方法】変更
【補正の内容】
【発明の名称】高周波フレキシブル多芯ケーブル接続システム、高周波フレキシブル多芯ケーブルおよび電子機器
【手続補正２】
【補正対象書類名】明細書
【補正対象項目名】特許請求の範囲
【補正方法】変更
【補正の内容】
【特許請求の範囲】
【請求項１】
中心導体が絶縁物で埋込まれ、該絶縁物がさらに外部導体で被覆された角型同軸構造の基本ケーブルを複数本並列に形成した多芯ケーブル部および該多芯ケーブル部と制御回路とを接続するための嵌合部とで構成されていることを特徴とする高周波フレキシブル多芯ケーブル接続システム。
【請求項２】
請求項１の高周波フレキシブル多芯ケーブル接続システムにおいて、
基本ケーブルを並列に配置して形成された多芯ケーブル部の厚さ方向に中心導体の断面における長手方向を合わせて形成したことを特徴とする高周波フレキシブル多芯ケーブル接続システム。
【請求項３】
請求項１の高周波フレキシブル多芯ケーブル接続システムにおいて、
前記多芯ケーブル部は基本ケーブルを並列に配置して形成された該多芯ケーブル部の厚さ方向と直角な方向に中心導体の断面における長手方向を合わせて形成したことを特徴とする高周波フレキシブル多芯ケーブル接続システム。
【請求項４】
請求項２の高周波フレキシブル多芯ケーブル接続システムにおいて、
前記多芯ケーブル部は該多芯ケーブル部の厚さ方向の中心導体と外部導体との間隔を前記厚さ方向と直角の方向の前記中心導体と前記外部導体との間隔の２倍以上に設定したことを特徴とする高周波フレキシブル多芯ケーブル接続システム。
【請求項５】
請求項４の高周波フレキシブル多芯ケーブル接続システムにおいて、
前記多芯ケーブル部は該多芯ケーブル部の厚さ方向の外部導体を有しないことを特徴とする高周波フレキシブル多芯ケーブル接続システム。
【請求項６】
請求項１の高周波フレキシブル多芯ケーブル接続システムにおいて、
前記多芯ケーブル部の前記制御回路への接続部は、前記中心導体が前記絶縁物および外部導体に対して突出または凹んだ構造となっており、
前記制御回路の前記接続部を受け入れる受け入れ部は、前記接続部と逆の構造となっており、
前記嵌合部は、接続部と受け入れ部とが密着接続されることによって構成されていることを特徴とする高周波フレキシブル多芯ケーブル接続システム。
【請求項７】
液晶ディスプレイ並びに該液晶ディスプレイを駆動する制御回路と信号処理回路とを具備する電子機器において、前記液晶ディスプレイと前記制御回路との間を請求項１の高周波フレキシブル多芯ケーブル接続システムで接続したことを特徴とする電子機器。
【請求項８】
中心導体が絶縁物で埋込まれ、該絶縁物がさらに外部導体で被覆された角型同軸構造の基本ケーブルを複数本並列に形成した多芯ケーブル部からなることを特徴とする高周波フレキシブル多芯ケーブル。
【請求項９】
請求項８の高周波フレキシブル多芯ケーブルにおいて、
前記多芯ケーブル部は前記基本ケーブルを並列に配置して形成された該多芯ケーブル部の厚さ方向に中心導体の断面における長手方向を合わせて形成したことを特徴とする高周波フレキシブル多芯ケーブル。
【請求項１０】
請求項８の高周波フレキシブル多芯ケーブルにおいて、
前記多芯ケーブル部は前記基本ケーブルを並列に配置して形成された該多芯ケーブル部の厚さ方向と直角な方向に中心導体の断面における長手方向を合わせて形成したことを特徴とする高周波フレキシブル多芯ケーブル。
【請求項１１】
請求項９の高周波フレキシブル多芯ケーブルにおいて、
前記多芯ケーブル部は該多芯ケーブル部の厚さ方向の中心導体と外部導体との間隔を前記厚さ方向と直角の方向の前記中心導体と前記外部導体との間隔の２倍以上に設定したことを特徴とする高周波フレキシブル多芯ケーブル。
【請求項１２】
請求項１１の高周波フレキシブル多芯ケーブルにおいて、
前記多芯ケーブル部は該多芯ケーブル部の厚さ方向の外部導体を有しないことを特徴とする高周波フレキシブル多芯ケーブル。
【手続補正３】
【補正対象書類名】明細書
【補正対象項目名】０００４
【補正方法】変更
【補正の内容】
【０００４】
【課題を解決するための手段】
上記課題を解決するために本発明は以下のように構成されている。
中心導体が絶縁物で埋込まれ、該絶縁物がさらに外部導体で被覆された角型同軸構造の基本ケーブルを複数本並列に形成したフレキシブル多芯ケーブル部および該フレキシブル多芯ケーブル部と制御回路とを接続するための嵌合部とで構成されていることを特徴とする高周波フレキシブル多芯ケーブル接続システム。高周波フレキシブル多芯ケーブル接続システムにおいて、基本ケーブルを並列に配置して形成された多芯ケーブル部の厚さ方向に中心導体の断面における長手方向を合わせて形成したことを特徴とする高周波フレキシブル多芯ケーブル接続システム。高周波フレキシブル多芯ケーブル接続システムにおいて、基本ケーブルを並列に配置して形成された多芯ケーブル部の厚さ方向と直角な方向に中心導体の断面における長手方向を合わせて形成したことを特徴とする高周波フレキシブル多芯ケーブル接続システム。高周波フレキシブル多芯ケーブル接続システムにおいて、前記多芯ケーブル部の厚さ方向の中心導体と外部導体との間隔を前記厚さ方向と直角の方向の前記中心導体と前記外部導体との間隔の２倍以上に設定したことを特徴とする高周波フレキシブル多芯ケーブル接続システム。高周波フレキシブル多芯ケーブル接続システムにおいて、前記多芯ケーブル部の厚さ方向の外部導体を有しないことを特徴とする高周波フレキシブル多芯ケーブル接続システム。高周波フレキシブル多芯ケーブル接続システムにおいて、前記フレキシブル多芯ケーブル部の前記制御回路への接続部は、前記中心導体が前記絶縁物および外部導体に対して突出または凹んだ構造となっており、前記制御回路の前記接続部を受け入れる受け入れ部は、前記接続部と逆の構造となっており、前記嵌合部は、接続部と受け入れ部とが密着接続されることによって構成されていることを特徴とする高周波フレキシブル多芯ケーブル接続システム。液晶ディスプレイ並びに該液晶ディスプレイを駆動する制御回路と信号処理回路とを具備する電子機器において、前記液晶ディスプレイと前記制御回路との間を高周波フレキシブル多芯ケーブル接続システムで接続したことを特徴とする電子機器。
中心導体が絶縁物で埋込まれ、該絶縁物がさらに外部導体で被覆された角型同軸構造の基本ケーブルを複数本並列に形成したことを特徴とする高周波フレキシブル多芯ケーブル。上記高周波フレキシブル多芯ケーブルにおいて、基本ケーブルを並列に配置して形成された多芯ケーブル部の厚さ方向に中心導体の断面における長手方向を合わせて形成したことを特徴とする高周波フレキシブル多芯ケーブル。上記高周波フレキシブル多芯ケーブルにおいて、基本ケーブルを並列に配置して形成された多芯ケーブル部の厚さ方向と直角な方向に中心導体の断面における長手方向を合わせて形成したことを特徴とする高周波フレキシブル多芯ケーブル。上記高周波フレキシブル多芯ケーブルにおいて、前記多芯ケーブル部の厚さ方向の中心導体と外部導体との間隔を前記厚さ方向と直角の方向の前記中心導体と前記外部導体との間隔の２倍以上に設定したことを特徴とする高周波フレキシブル多芯ケーブル。上記高周波フレキシブル多芯ケーブルにおいて、前記多芯ケーブル部の厚さ方向の外部導体を有しないことを特徴とする高周波フレキシブル多芯ケーブル。
本発明では、上記目的を達成するために、先ず、中心導体を絶縁物で埋込み、その絶縁物をさらに外部導体で被覆した角型同軸構造の基本ケーブルを形成する。その後、それらを複数本並列に束ねて多芯フレキシブルケーブル部を形成することにより、高速伝送と耐雑音特性の向上を図る手段を提供する。なお、ケーブル部の形成には、基本ケーブルを外部導体で被覆された絶縁物上に一括して中心導体が形成された半分と中心導体が形成されていない絶縁物と外部導体から成る半分とを貼り合わせるなどの方法を用いても良い。一方、多芯ケーブルと制御回路とを接続するための嵌合部では、ケーブル部の中心導体を突出させ、ケーブル嵌め込み部では反対に凹ませる、或いは、夫々逆の構造とすることにより、嵌合部の密着接続を可能とする。ケーブル部は、従来の同軸ケーブルと基本的には同じ構造をしており、信号が伝送される導体が接地面を形成する外部導体で囲まれているため、任意の線路インピーダンスを設定でき、高速伝送が可能ある。また、本発明は、外部導体により中心導体から放射される電磁界を絶縁物内に閉じ込められるので、伝送路間のクロストークを防止できる、外部から飛び込んで来る種々の雑音に対する影響を遮断できる等、耐雑音特性の向上が可能となる。さらに、本発明のもう一つの利点は従来のフレキシブルケーブルと同様な性質を持つため、可撓性があり、且つ、従来の細線同軸ケーブル接続システムの約１／２の価格を実現できることであり、安価な高周波フレキシブル多芯ケーブル接続システムの提供が可能となる。